(57)【特許請求の範囲】
【請求項１】
それぞれ多重化部および基準クロック発生器を有する第１及び第２の多重化端局装置間に１以上の中継器が接続される光伝送システムにおいて、
前記中継器は、
内部クロックを生成するクロック発振器と、
前記クロック発振器により生成されたクロックと前記第１の多重化端局装置側から入力されたクロックと前記第２の多重化端局装置側から入力されたクロックとのうちいずれかを選択するセレクタと、を備え、
前記中継器は、前記セレクタにより選択されたクロックに基づき、前記中継器から前記第２の多重化端局装置側への信号の伝送を行うことを特徴とする光伝送システム。
【請求項２】
前記中継器は、再生中継器又は線形中継器であることを特徴とする請求項１に記載の光伝送システム。
【請求項３】
前記中継器と前記第１の多重化端局装置の接続が確立しておらず、前記中継器と前記第２の多重化端局装置が接続されている場合に、
前記セレクタは、前記第２の多重化端局装置側から入力されたクロックを選択し、
前記中継器は、前記第２の多重化端局装置側から入力されたクロックに基づいて、前記中継器から前記第２の多重化端局装置側への信号の伝送を行うことを特徴とする、請求項１又は２に記載の光伝送システム。
【請求項４】
前記多重化端局装置が接続されず基準クロックが存在しない中継器対中継器のみの接続時に、対向する中継器に優先順位を付け、前記対向する中継器の何れか一方が有する前記クロック発振器を基準クロックとし動作することを特徴とする請求項１乃至３の何れかに記載の光伝送システム。
【請求項５】
前記中継器は、対向する装置からのクロックを抽出するクロック抽出部と、前記セレクタが選択出力するクロックの位相を監視する位相監視部とを備えることを特徴とする請求項１乃至４の何れかに記載の光伝送システム。
【請求項６】
前記セレクタは、予め決められた切替え条件に従って切替えられることを特徴とする請求項１乃至５の何れかに記載の光伝送システム。
【請求項７】
前記各中継器は、第１の多重化端局装置側および第２の多重化端局装置側クロック発振器を備え、前記セレクタ部が第１の多重化端局装置側か第２の多重化端局装置側かにより、前記セレクタの動作時間を変更して対向する装置間で何れのクロック発振器を基準として動作するかを決めることを特徴とする請求項１乃至６の何れかに記載の光伝送システム。
【発明の詳細な説明】
【０００１】
【発明の属する技術分野】
本発明は光伝送システム、特に同期網通信システムの多重化端局装置、光再生中継器、光線形中継器およびこれらの間を結ぶ光ファイバ伝送路から構成される光伝送システムに関する。
【０００２】
【従来の技術】
同期型のデジタル通信又は伝送システムの中継器等にあっては、動作基準としてクロック信号を使用する。斯かる技術分野における従来技術は、例えば特開平８−２３７１９６号公報の「光中継器監視システム」、特開平５−２３５８１５号公報の「中間中継局におけるクロック切替方式」および特開平５−１９９２５０号公報の「クロック切替方式」等に開示されている。
【０００３】
図９は、従来の一般的な光伝送システムの構成を示すブロック図である。この光伝送システムは、対向する多重化端局装置（ラインターミナル・マルチプレクサ：ＬＴ−ＭＵＸ）１０１および１０２間に光ファイバにより接続された複数の光再生中継器（単に中継器ともいう）１０３、１０４および１０５により構成される。複数の低速光信号１０８、１０９、１１０、１１１は、多重化端局装置１０１および１０２で高速光信号１０６、１０７に多重化される。多重化端局装置１０１および１０２から出力される高速光信号１０６、１０７は、光ファイバの損失による信号電力の減衰を受ける。そこで、中継器１０３、１０４、１０５を所定間隔で配置して、減衰した高速光信号を受信再生する。そして、光ファイバにおける信号波形の劣化を少なくして多重化端局装置１０１および１０２間の伝送距離を長くする。伝送後の高速光信号１０６、１０７は、多重化端局装置１０１および１０２で再び複数の低速光信号１０８、１０９、１１０、１１１に分離される。
【０００４】
多重化端局装置１０１および１０２は、保守運用装置との通信機能、各中継器１０３〜１０５と伝送フレーム内の保守運用用通信チャンネル（例えば、ＳＤＨ伝送フレームにおけるＳＴＭフレームに含まれるＲＳＯＨ内のＤ１、Ｄ２、Ｄ３バイト）又はＬＳＶ（監視制御信号処理部）内のチャンネルを使用して、保守運用情報を送受信する通信機能およびその保守運用情報から各中継器１０３〜１０５を監視する機能を有する。各中継器１０３〜１０５は、接続している光ファイバを含む中継区間を監視する機能、伝送フレーム内の保守運用チャンネル又はＬＳＶ（監視制御信号処理部）内のチャンネルを使用して保守運用情報を送受信する通信機能を有する。これらの機能を使用して、多重化端局装置１０１および１０２間に接続される再生中継器および線形中継器に対して、多重化端局装置１０１および１０２を経由して遠隔で監視する。
【０００５】
再生中継器１０３〜１０５は、１つの中継システムでＷ−Ｅ（West−to―East：Westは第１の多重化端局装置側に対応し、Eastは第２の多重化端局装置側に対応する）方向中継ユニットおよびＥ−Ｗ方向中継から構成される。多重化端局装置１０１および１０２からの伝送信号は、受信・復調され、クロック抽出回路が再生した再生クロック信号によりリタイミング（タイミング調整）されて、同期網の基準クロック信号に同期した伝送信号を送出する。再生中継器１０３〜１０５では、監視信号分離回路は、伝送フレーム中の主信号と監視信号とを分離している。分離された監視信号は、監視回路部で処理される。他装置との間に設けられた通信チャンネルを介して転送された保守運用情報が、自装置宛であるか他装置宛であるかを判別する。自装置宛である場合には、その情報内容に応じた監視制御処理を行う。一方、他装置宛である場合には、その保守運用情報を隣接する他装置へ転送するアルゴリズムを有する。
【０００６】
図１０は、線形中継器を挿入した場合における従来の光伝送システムの構成を示すブロック図である。対向する多重化端局装置２０１および２０２間に配置接続された線形中継器２０３、２０４は、光信号を再生することなく光信号のまま増幅する線形中継器であり、多重化端局装置２０１又は再生中継２０５からの伝送信号は光信号のまま増幅される。
【０００７】
図１１は、図１０中に示す線形中継器（例えば２０３）の具体的構成例を示す。１つの中継システムは、Ｗ−Ｅ方向中継ユニット３０１およびＥ−Ｗ方向中継ユニット３０２から構成される。また、主信号３０３、３０４、３０５、３０６とは別に、波長多重された保守運用情報信号（ＬＳＶ信号）３０７、３０８、３０９、３１０は、その情報内容に応じた監視制御処理を行い、ＬＳＶ信号を主信号に波長多重し送出する。
【０００８】
図１２は、中継器におけるクロック系の原理図を示す。図１２には、多重化端局装置４０１および４０２、線形中継器４０３、４０４、４０５、基準クロック発生器４０６、４０７により構成される。各線形中継器４０３、４０４、４０５は、それぞれ１対のクロック発振回路４０８−４０９、４１０−４１１、４１２−４１３および１対のセレクタ４１４−４１５、４１６−４１７、４１８−４１９を有する。基準クロック発生器４０６、４０７は、クロック供給装置により網に同期したクロックを多重化端局装置４０１および４０２へ供給する。そして、線形中継器４０３〜４０５は、基準クロックに同期して信号を伝送する。動作例として、線形中継器４０３の上流伝送信号が断となった場合には、この中継ユニットは、クロック発振回路によるクロック信号に基づき信号を送出する。受信入力断アラーム信号によりセレクタ４１４を切り替えて、クロック発振回路４０９のクロック信号に基づき対向装置との間の通信を行う。クロック発振回路４０９のクロック信号と同期網の基準クロック信号４０７との間には同期関係がないため、対向の多重化端局装置４０２では、このデータを受信する際にスリップ等が発生する。同期網通信システムの中間中継局におけるクロック切替方式において、中継ユニットにおける上流からの伝送信号が断となった場合に、他の中継ユニットで再生した再生クロック信号に切り替えることにより、下流への監視情報の通信を確保する。これにより、基準クロック信号に同期した信号を送出し、中継器への伝送路故障の場合でも多重化させることも提案されている。また、光信号を再生することなく光信号のまま増幅する線形中継器が開発されている。従って、図１０に示す如く中継器として、従来の再生中継器と共に線形中継器を使用することができる。この線形中継器は、その簡単な構成により再生中継器よりも安価であり、それを使用することにより光伝送システムのコスト低減を図ることができる。
【０００９】
図１３は、上述した線形中継器のクロック系の原理図を示す。このクロック系では、多重化端局装置からの伝送信号５１３、５１４を増幅する光アンプ５０１、５０２、デマルチプレクサ（DMUX）５０３、５０８、クロック抽出回路５０４、５０９、セレクタ５０５、５１０、マルチプレクサ（MUX）５０６、５１１およびクロック発振回路５０７、５１２により構成される。
【００１０】
また、図１４は、線形中継器対向時のクロック系の詳細構成図を示す。多重化端局装置からの伝送信号６０１、６０２は、光アンプ６０３、６０４、６０５、６０６により光信号のまま増幅される。主信号とは別に、波長多重された保守運用情報信号（ＬＳＶ信号）６０７、６０８、６０９、６１０より抽出再生した再生クロック信号６１１、６１２、６１３、６１４によりＬＳＶ信号は、リタイミングされることで同期網の基準クロック信号に同期したＬＳＶ信号６１５、６１６、６１７、６１８を主信号に波長多重して送出する。また、図１５は、従来の中継器監視システムの基本構成を示すブロック図である。保守運用装置６５０に、光再生中継器６５２、６５４および光線形中継器６５３の両端に配置接続された多重化端局装置６５１および６５５が双方向に接続されて監視制御するよう構成されている。
【００１１】
【発明が解決しようとする課題】
上述の如き従来技術において、再生中継器にて上流の伝送信号が断した場合に、下流の多重化端局装置では、このデータを受信する際にスリップ等が発生することを防ぐため、自己クロック発振器によるクロックを使用しない。その代わり、下流の多重化端局装置から受信したクロックを折り返すことにより、多重化端局装置と同期したクロックで打合せ信号や監視制御信号を主信号のオーバーヘッドに多重し、下流へ送出する手段を提案している。光信号を再生することなく光信号のまま増幅する線形中継器にこの方式を採用した場合には、光再生中継器とは、クロック系の構成が異なるが、再生中継器における主信号系のクロックを、線形中継器における監視制御系（ＬＳＶ）信号のクロックに置き換えて構成することにより、線形中継器にも応用可能であるが、次の如き課題を有する。
【００１２】
第１に、再生中継器および線形中継器のクロック切替方式は、伝送路障害等により、片側が多重化端局装置から切り離された場合について記述してあるが、中継局の建設時等に考えられる中継器対中継器のみの接続時に、打合せ信号や監視信号を正しく再生させることができない。再生中継器および線形中継器は、多重化端局装置からの基準クロックに同期して伝送する特性により、建設時等の如く上流又は下流に多重化端局装置が接続されない状態では、基準クロックが存在しないため、例えば自己発振器に切り替えた場合でも、対向する再生中継器および線形中継器において、それぞれ異なるクロックで動作し、受信側の装置では、データにスリップが生じ、打合せ信号や監視信号を正しく再生できないためである。
【００１３】
第２に、上述した第１の問題を解決するために、上流から受信したクロックと、下流から受信した折り返しクロックと、自己発振器の３系統のクロックを切り替えるセレクタ部を備えた再生中継器および線形中継器を考える。その場合には、中継器対中継器のみの接続時に対向した装置のセレクタ部は、それぞれの中継器において、下流から受信した折り返しクロックを選択すると、クロックを喪失してしまう。
【００１４】
【発明の目的】
上述した従来技術の問題を解決し、中継器対中継器のみの対向で、打合せ信号や監視信号を正しく再生できる光伝送システムを提供することである。
【００１５】
本発明の光伝送システムは、それぞれ多重化部および基準クロック発生器を有する第１及び第２の多重化端局装置間に１以上の中継器が接続される光伝送システムにおいて、前記中継器は、内部クロックを生成するクロック発振器と、前記クロック発振器により生成されたクロックと前記第１の多重化端局装置側から入力されたクロックと前記第２の多重化端局装置側から入力されたクロックとのうちいずれかを選択するセレクタと、を備え、前記中継器は、前記セレクタにより選択されたクロックに基づき、前記中継器から前記第２の多重化端局装置側への信号の伝送を行う。
【００１６】
また、本発明の光伝送システムの好適実施形態によると、中継器は、再生中継器又は線形中継器である。多重化端局装置が接続されず基準クロックが存在しない中継器対中継器のみの接続時に、対向する中継器に優先を付け、対向する中継器の何れか一方が有するクロック発生器を基準クロックとして動作する。中継器は、対向する装置からのクロックを抽出するクロック抽出部と、セレクタが選択出力するクロックの位相を監視する位相監視部とを備える。セレクタは、予め決められた切替え条件に従って切替えられる。各中継器は、ＷＥＳＴ側およびＥＡＳＴ側クロック発生器を備え、セレクタがＷＥＳＴ側かＥＡＳＴ側かにより、セレクタの動作時間を変更して対向する装置間で何れのクロック発生器を基準として動作するかを決める。
【００１７】
【発明の実態の形態】
次に、本発明による光伝送システムの好適実施形態例の構成および動作を、添付図を参照して詳細に説明する。
【００１８】
先ず、図１は、本発明による光伝送システムの好適実施形態例のクロック切替部を中心とする基本構成図である。この光伝送システムは、対向配置された１対の多重化端局装置１０、２０およびこれら多重化端局装置１０、２０間に配置接続された複数（図示の特定例では３個）の中継器（REP）３０、４０、５０により構成される。多重化端局装置１０、２０の多重化部１２、１４および２２、２４には、それぞれ基準クロック発生器１５、２５から基準クロックが供給されている。多重化端局装置１０、２０において、多重化部１２、２２は上り多重化部であり、多重化部１４、２４は下り多重化部である。各中継器３０、４０、５０は、それぞれ１対のセレクタ３２−３４、４２−４４、５２−５４および１対のクロック発振回路３６−３８、４６−４８、５６−５８を有する。
【００１９】
次に、図２は、図１中の中継器、例えば中継器３０および４０の更に詳細な構成を示すブロック図である。中継器３０は、光アンプを有する主信号伝送路に加えて、図１を参照して上述したセレクタ３２、３４およびクロック発振回路３６、３８、更にデマルチプレクサ（ＤＭＵＸ）３１a、３１ｂ、クロック抽出部３３ａ、３３ｂ、マルチプレクサ（ＭＵＸ）３５ａ、３５ｂおよび位相監視部３７ａ、３７ｂを含んでいる。同様に、中継器４０も、光アンプを有する主信号伝送路に加えて、セレクタ４２、４４、クロック発振器４６、４８、デマルチプレクサ４１ａ、４１ｂ、クロック抽出回路４３ａ、４３ｂ、マルチプレクサ４５ａ、４５および位相監視部４７ａ、４７ｂを含んでいる。
【００２０】
次に、図３、図４および図５を参照して、上述した図１および図２に示す本発明の光伝送システムの動作を説明する。先ず、図３は、全てが正常動作時における光伝送システム内の基準クロックの流れを示す。この場合には、図３中に点線で示す如く、基準クロック発生器１５からの基準クロックは、多重化端局装置１０の多重化部１２、中継器３０、４０、５０を介して多重化端局装置２０の多重化部２２へ供給される。また、基準クロック発生器２５からの基準クロックは、多重化端局装置２０の多重化部２４、中継器５０、４０、３０を介して多重化端局装置１０の多重化部１４に供給される。詳細に後述する如く、セレクタ３２−３４、４２−４４、５２−５４は、自装置から抽出したクロックを基準クロックとして選択する。このとき、各中継器３０、４０、５０は、接続される多重化端局装置の基準クロックに同期して動作する。
【００２１】
次に、図４は、Ｘ印で示す如く、多重化端局装置１０と中継器３０との間で伝送路障害が発生した場合のクロック切替方式の動作状態を示す。この場合には、多重化端局装置２０に接続される基準クロック発生器２５からの基準クロックを中継器５０、４０、３０を介し、更に中継器３０において折り返されて、中継器４０、５０を介して多重化端局装置２０に戻る。このとき、対向装置は、接続される多重化端局装置の基準クロックに同期して動作しているため、そのクロックを折り返りて動作することにより、網の基準クロックに同期する。図５は、光伝送システム建設時の基準クロックルートを示す。中継器３０と多重化端局装置１０間および中継器５０と多重化端局装置２０間は、Ｘ印で示す如く断状態である。この場合には、図５中に点線で示す如く、中継器５０の基準クロック５８が、中継器４０、３０を介して中継器５０へ折り返される。
【００２２】
次に、図６は、本発明による光伝送システムにおける光線形中継器（Ｌ−ＲＥＰ）６０、７０の構成図を示す。図７は、図６の光線形中継器の動作説明図である。また、図８は、図６および図７中のセレクタの切替え条件の説明図である。
図６では、１対の線形中継器（Ｌ−ＲＥＰ）６０、７０が対向して接続されている。例えば線形中継器６０は、ＥＡＳＴ側を、線形中継器７０と対向し、主信号伝送信号を光信号のまま増幅する光アンプ部と、監視制御インタフェース部６７より送出される信号を多重し送出するＭＵＸ６４と、対向装置７０からの監視制御信号を受信し、監視制御インタフェース部７７へ送出するＤＭＵＸ６５と、対向装置７０からの監視制御信号を受信し、クロック信号を抽出するＣＬＫ抽出部６６と、クロック切替え条件を判断し、適切な基準クロックを選択するセレクタ（ＳＥＬ）６１と、自己発振器（ＯＳＣ）６２と、自装置６０内ＷＥＳＴ側監視制御信号から抽出したクロック信号と対向装置７０からの監視制御信号から抽出したクロック信号を比較し、切替え条件の一部を生成する位相監視部６３とから構成される。一方、線形中継器７０は、ＷＥＳＴ側を線形中継器６０と対向し、上述した線形中継器６０と同様の構成素子７１〜７７を有する。
【００２３】
次に、本発明によるクロック切替方式の実施形態例の動作を詳細に説明する。
図３の正常時の基準クロックルート図に示した条件のとき、図６の線形中継器（Ｌ―ＲＥＰ）６０のセレクタ６１は、ＥＡＳＴ側から抽出したクロックＣ１６を基準クロックとして選択する。また、線形中継器７０のセレクタ７１は、 ＷＥＳＴ側から抽出したクロックＣ２２を基準クロックとして選択する。このとき、図６における線形中継器６０および７０は、それぞれＷＥＳＴ側、ＥＡＳＴ側に接続される多重化端局装置の基準クロックに同期して動作する。
【００２４】
図４の伝送路障害時における基準クロックルート図に示した条件のとき、図６における線形中継器６０のセレクタ６１は、線形中継器６０のＥＡＳＴ側から抽出したクロックＣ１６を基準クロックとして選択する。また、線形中継器７０のセレクタ７１は、この線形中継器７０のＷＥＳＴ側から抽出したクロックＣ２２を基準クロックとして選択する。このとき、図６における線形中継器６０および７０は、ＥＡＳＴ側に接続される多重化端局装置の基準クロック信号に同期して動作する。
【００２５】
図５の光伝送システム建設時の基準クロックルート図に示した条件のとき、図６における線形中継器６０、７０のセレクタ６１、７１は、それぞれ自己の発振器６２、７２からのクロックＣ２３を基準クロックとして選択する。このとき、図６における線形中継器６０、７０は、それぞれ自己の発振器６２、７２からのクロックＣ２３に同期して動作する。
【００２６】
上述した基本動作時のセレクタ６１の切替え条件を、図７等を参照して説明する。線形中継器６０のセレクタ６１には、▲１▼対向装置のクロック、▲２▼自装置のクロックおよび▲３▼ＯＳＣ６２のクロックが入力され、これら▲１▼〜▲３▼のクロックのうち最適なクロックをセレクタ６１で選択し出力するよう構成されている。線形中継器６０は、選択されたクロックに基づき、内部処理を行い、監視制御信号を送出する。▲２▼自装置のクロックと▲４▼セレクタ６１で選択後の基準クロックは、位相監視部６３に入力され、セレクタ６１に入力されるクロックと、選択後の基準クロックのスリップを監視する。セレクタ６１の切替えを行う位相監視部６３は、ＷＥＳＴ側かＥＡＳＴ側かの判別信号により、ＯＳＣクロックへ切替え遷移する時間制御回路を有する。
【００２７】
次に、図３の正常時の基準クロックルート図に示した条件のとき、図７におけるセレクタ６１は、▲２▼自装置から抽出したクロックを基準クロックとして選択する。このとき、線形中継器６０は、接続される多重化端局装置の基準クロックに同期して動作する。また、図４の伝送路障害時の基準クロックルート図に示した条件のとき、図７におけるセレクタ６１は、▲１▼対向装置７０のクロックを基準クロックとして選択する。このとき、対向装置７０は、接続される多重化端局装置の基準クロックに同期して動作しているため、そのクロックを折り返して動作することにより、網の基準クロックに同期する。図８は、セレクタ６１の切替え条件を示す。このときの動作は、図８（Ｂ）の状態遷移図中のａに相当し、伝送路障害時には、▲２▼自装置から抽出したクロックから▲１▼対向装置７０のクロックへ切り替わる。
【００２８】
図５の光伝送システム建設時の基準クロックルート図に示した条件のとき、図７におけるセレクタ６１は、自分がＷＥＳＴ側かＥＡＳＴ側かにより異なったクロックの選択方式をとる。詳細な動作を以下に説明する。線形中継器６０を初期立ち上げし、光ケーブルを接続しない状態のとき、セレクタ６１に入力される▲２▼自装置から抽出したクロックと▲１▼対向装置７０のクロックは、存在しない。このとき、セレクタ６１は、図８（Ｂ）のｂ又はｆに示すシーケンスにより▲３▼ＯＳＣクロックを選択した状態となる。即ち、図６における線形中継器６０および７０は、それぞれセレクタ６１、７１においてＯＳＣクロックを選択した状態となる。
【００２９】
次に、図６における線形中継器７０から６０へ光信号を接続した場合には、線形中継器６０の位相監視部６３は、自装置のＯＳＣ６２からのクロックと、対向装置７０のＯＳＣ７２からのクロックを比較することになり、エラーを検出する。そのとき、セレクタ６１は、図８（Ｂ）のｃに示すシーケンスにより▲１▼対向装置７０のクロックを選択する。
【００３０】
次に、図６に示す線形中継器６０から７０へ光信号を接続した場合には、線形中継器７０の位相監視部７３は、自装置のＯＳＣ７２からのクロックと、対向装置７０で折り返しされた自装置のＯＳＣクロックを比較することになり、エラーを検出しない。そのとき、セレクタ６１は、図８（Ｂ）のｇに示すシーケンスにより▲３▼ＯＳＣクロックを選択した状態となる。
【００３１】
次に、図６における線形中継器６０と７０を対向した場合には、何れかの装置（中継器６０又は７０）が基準となって、一方は、自己発振器クロックに同期し、他方は、対向装置の発振器クロックに同期して動作することにより装置関の同期をとることができる。特殊動作として、両装置（中継器６０、７０）のセレクタ６１、７１が同時に▲１▼対向装置のクロックを選択した場合には、線形中継器６０、７０のどちらが基準となり動作するのかを、ＷＥＳＴ側とＥＡＳＴ側で切替えに時間差をもたせることで、ＷＥＳＴ側を優先とする。
【００３２】
次に、図６における線形中継器６０と７０を対向し、何れかの装置が基準となって同期がとれた状態から、一側の装置に多重化中継装置が接続され、クロック供給装置からの基準クロックが入力された場合の動作について説明する。図６において、線形中継器６０と７０が対向で接続され、線形中継器７０側のＯＳＣ７２を基準に動作している場合に、線形中継器６０のセレクタ６１は、▲１▼対向装置のクロックを選択している。また、線形中継器７０側は、▲３▼ＯＳＣクロックを選択した状態となる。このとき、線形中継器７０側が多重化中継装置に接続され、クロック供給装置からの基準クロックが入力された場合に、線形中継器７０のセレクタ７１は、図８（Ｂ）の切替えシーケンスｅにより、▲２▼自装置から抽出したクロックへ最優先で切り替る。同時に、線形中継器６０のセレクタ６１は、▲１▼対向装置のクロックを選択した状態から、状態の変更はない。そのため、線形中継器６０と７０は、線形中継器７０に接続された多重化端局装置の基準クロックに同期する。
【００３３】
図６において、線形中継器６０と７０が対向接続され、線形中継器７０側のＯＳＣ７２を基準に動作している場合に、線形中継器６０のセレクタ６１は、▲１▼対向装置７０のクロックを選択している。また、線形中継器７０側は、▲３▼ＯＳＣクロックを選択した状態となる。このとき、線形中継器６０のセレクタ６１は、図８（Ｂ）の切替えシーケンスｅにより、▲２▼自装置から抽出したクロックへ最優先で切り替わる。同時に、線形中継器６０のセレクタ６１は、図８（Ｂ）の切替えシーケンスｃにより、▲３▼ＯＳＣクロックを選択した状態で、送信しているクロックと、受信したクロックの位相が異なるため、位相監視エラーを検出し、▲１▼対向装置７０のクロックを選択する。即ち、線形中継器６０と７０は、線形中継器６０に接続された多重化端局装置の基準クロックに同期する。
【００３４】
以上、本発明による光伝送システムの好適実施形態の構成および動作を詳述した。しかし、斯かる好適実施形態は、本発明の単なる例示に過ぎず、何ら本発明を限定するものではないことに留意されたい。本発明の要旨を逸脱することなく、特定用途に応じて種々の変形変更が可能であること、当業者には容易に理解できよう。
【００３５】
【発明の効果】
以上の説明から理解される如く、本発明の光伝送システムによると、次の如き実用上の顕著な効果が得られる。先ず第１に、線形中継器において、一側に伝送異常が発生した場合に、接続されている他側の多重化端局装置の基準クロックに同期して動作することにより、監視制御信号が正確に伝送できる。その理由は、線形中継器の基準クロックを自装置からのクロックと、対向装置のクロックからのクロックを選択できる構成としたためである。
【００３６】
第２に、再生中継器および線形中継器において、多重化端局装置を接続しない状態で対向再生中継器又は線形中継器の何れかの自己発振器を基準クロックとして動作することにより、監視制御信号が正確に伝送できる。その理由は、再生中継器および線形中継器の基準クロックを自装置からのクロックと、対向装置のクロックからのクロックと自己発振器からのクロックを選択できる構成とし、位相監視回路および切替え条件回路を有する構成としたためである。
【００３７】
第３に、構成が簡略化できる。その理由は、対向装置からのクロックが、多重化端局装置から送出される網に同期したクロックか、再生中継器および線形中継器から送出されたクロックからの識別を、位相監視部の位相差検出回路により実現する構成としたので、対向する装置の状態を情報転送のための固定ビットを定義することなく判定することができるためである。
【図面の簡単な説明】
【図１】本発明による光伝送システムにおけるクロック系の原理図である。
【図２】線形中継器が対向時のクロック系の詳細制御図である。
【図３】図１の光伝送システムで、伝送路が正常時の基準クロックルート図である。
【図４】図１の光伝送システムで、伝送路障害時の基準クロックルート図である。
【図５】光伝送システム建設時の基準クロックルート図である。
【図６】本発明による光伝送システムの詳細構成を示すブロック図である。
【図７】図６中に示す線形中継器における基本動作時のセレクタ切替え条件説明図である。
【図８】図７中に示すセレクタ切替え条件説明図であり、（Ａ）は構成図、（Ｂ）は状態遷移図である。
【図９】一般的な光伝送システムの基本構成図である。
【図１０】線形中継器を挿入した場合の光伝送システムの構成図である。
【図１１】図１０中に示す線形中継器の構成図である。
【図１２】中継器におけるクロック系の原理図である。
【図１３】線形中継器のクロック系の詳細制御図である。
【図１４】線形中継器が対向時のクロック系の詳細図である。
【図１５】従来の光中継器監視システムの基本構成図である。
【符号の説明】
１０、２０  多重化端局装置（ＬＴ−ＭＵＸ）
１２、１４、２２、２４  多重化部
１５、２５  基準クロック発生器
３０、４０、５０  再生中継器（ＲＥＰ）
３２、３４、４２、４４、６１、７１  セレクタ（ＳＥＬ）
３３、４３、６６、７６  クロック抽出部
３６、３８、４６、４８、５６、５８、６２、７２  クロック発生器（ＯＳＣ）
６０、７０  線形中継器
６３、７３  位相監視部
６４、７４  マルチプレクサ（ＭＵＸ）
【図１】
0004572035.tif 000002
【図２】
0004572035.tif 000003
【図３】
0004572035.tif 000004
【図４】
0004572035.tif 000005
【図５】
0004572035.tif 000006
【図６】
0004572035.tif 000007
【図７】
0004572035.tif 000008
【図８】
0004572035.tif 000009
【図９】
0004572035.tif 000010
【図１０】
0004572035.tif 000011
【図１１】
0004572035.tif 000012
【図１２】
0004572035.tif 000013
【図１３】
0004572035.tif 000014
【図１４】
0004572035.tif 000015
【図１５】
0004572035.tif 000016